(57)【要約】      （修正有）【課題】骨伝導素子を使用しない場合には骨伝導素子を眼鏡フレームと一体化して収納でき、外観品質に優れる眼鏡フレームおよび眼鏡を提供する。【解決手段】骨伝導素子付き眼鏡フレームは、レンズ配置部及びテンプル部を備え、テンプル部に骨伝導素子２０を備える。テンプル部は、骨伝導素子の収納部（凹部）を備え、骨伝導素子は、テンプル部に形成した軸２１を中心に揺動可能なアーム部材２２に配置され、アーム部材は、骨伝導素子を使用しないとき骨伝導素子を収納部に配置し、骨伝導素子を使用するとき使用位置に配置する。また眼鏡は、レンズ配置部にレンズを配置して視度矯正眼鏡やサングラスを構成する。【選択図】図１
0003221988.tif 000002
【実用新案登録請求の範囲】
【請求項１】
レンズ配置部及びテンプル部を備え、前記テンプル部に骨伝導素子を備える骨伝導素子付き眼鏡フレームであって、
前記テンプル部は、前記骨伝導素子の収納部を備え、
前記骨伝導素子は、前記テンプル部に形成した軸を中心に揺動可能なアーム部材に配置され、
前記アーム部材は、前記骨伝導素子を使用しないとき前記骨伝導素子を前記収納部に配置し、前記骨伝導素子を使用するとき使用位置に配置することを特徴とする骨伝導素子付き眼鏡フレーム。
【請求項２】
前記テンプル部に無線送受信装置、骨伝導素子駆動装置、及び電源を備えることを特徴とする請求項１に記載の骨伝導素子付き眼鏡フレーム。
【請求項３】
前記収納部は前記テンプル部に形成した凹部であることを特徴とする請求項１に記載の骨伝導素子付き眼鏡フレーム。
【請求項４】
前記収納部は前記テンプル部の下方に配置された遮蔽板部の内側に形成されていることを特徴とする請求項１に記載の骨伝導素子付き眼鏡フレーム。
【請求項５】
音声取得装置を備えることを特徴とする請求項１に記載の骨伝導素子付き眼鏡フレーム。
【請求項６】
請求項１から請求項５のいずれかに記載の骨伝導素子付き眼鏡フレームの前記レンズ配置部に視力矯正用レンズ又はサングラス用レンズを配置したことを特徴とする骨伝導素子付き眼鏡。
【考案の詳細な説明】
【技術分野】
【０００１】
本考案は、骨伝導素子付き眼鏡フレーム及び骨伝導素子付き眼鏡に関する。
【背景技術】
【０００２】
従来、音楽再生用、電話送受信用に骨伝導を利用したヘッドホンが使用されている。骨伝導は、振動する物体（骨伝導素子）、を頭部や乳様突起等に接触させて音の一部を外耳、中耳を介さずに直接内耳に到達させる。
【０００３】
このため、外部の騒音に妨害されずに音を聞き取ることができる他、骨伝導で音を聞きながら耳から入ってくる音も聞くことができ、耳を開放しておくことができる。このため、音楽や音声を聴きながら環境音を確認できる。
【０００４】
そして、骨伝導素子を眼鏡に配置し、眼鏡をかけた状態で音声を再生できるようにしたものが提案されている。
【０００５】
特許文献１には、音声出力装置として、眼鏡のツルに回転可能に骨伝導振動部が取付けられている構成が記載されている。
【０００６】
また、文献２には、眼鏡のセル部に第１及び第２腕部を回転かつ固定可能に配置し、第２腕部に骨伝導スピーカーを配置した眼鏡フレームが記載されている。
【先行技術文献】
【特許文献】
【０００７】
【特許文献１】特許第６１９７０１７号公報
【特許文献２】特許第５０５５５３０号公報
【考案の概要】
【考案が解決しようとする課題】
【０００８】
しかし、上述した従来のものは、骨伝導素子を使用しない場合であっても骨伝導素子が眼鏡のフレームから飛び出し、外観品質が良好ではないという問題がある。
【０００９】
本考案は上述した課題に鑑みてなされたものであり、骨伝導素子を使用しない場合には骨伝導素子を眼鏡フレームと一体化して外観品質に優れる骨伝導素子付き眼鏡フレーム及び骨伝導素子付き眼鏡を提供することを目的とする。
【課題を解決するための手段】
【００１０】
前記課題を解決する請求項１に記載の考案は、レンズ配置部及びテンプル部を備え、前記テンプル部に骨伝導素子を備える骨伝導素子付き眼鏡フレームであって、前記テンプル部は、前記骨伝導素子の収納部を備え、前記骨伝導素子は、前記テンプル部に形成した軸を中心に揺動可能なアーム部材に配置され、前記アーム部材は、前記骨伝導素子を使用しないとき前記骨伝導素子を前記収納部に配置し、前記骨伝導素子を使用するとき使用位置に配置することを特徴とする骨伝導素子付き眼鏡フレームである。
【００１１】
同じく請求項２に記載の考案は、請求項１に記載の骨伝導素子付き眼鏡フレームにおいて、前記テンプル部に無線送受信装置、骨伝導素子駆動装置、及び電源を備えることを特徴とする。
【００１２】
同じく請求項３に記載の考案は、前記収納部は前記テンプル部に形成した凹部であることを特徴とする。
【００１３】
同じく請求項４に記載の考案は、前記収納部は前記テンプル部の下方に配置された遮蔽板部の内側に形成されていることを特徴とする。
【００１４】
同じく請求項５に記載の考案は、音声取得装置を備えることを特徴とする。
【００１５】
同じく請求項６に記載の考案は、前記骨伝導素子付き眼鏡フレームの前記レンズ配置部に視力矯正用レンズ又はサングラス用レンズを配置したことを特徴とする骨伝導素子付き眼鏡である。
【考案の効果】
【００１６】
本考案に係る骨伝導素子付き眼鏡フレーム、及び骨伝導素子付き眼鏡によれば、骨伝導素子を使用しない場合には骨伝導素子を眼鏡フレームと一体化して外観品質に優れにすることができる。
【００１７】
すなわち、請求項１に記載の骨伝導素子付き眼鏡フレームによれば、骨伝導素子を使用するときアーム部材を軸を中心に回動して使用位置に配置し、骨伝導素子を使用しないとき、アーム部材を軸を中心に回動して骨伝導素子をテンプル部の収納部に配置できる。
このため、骨伝導素子を使用しない場合には骨伝導素子を眼鏡フレームと一体化させて外観品質に優れたものとできる。
【００１８】
また、請求項２に記載の骨伝導素子付き眼鏡フレームによれば、テンプル部に無線送受信装置、骨伝導素子駆動装置、及び電源を備えるから、他に骨伝導素子の駆動用や電源供給用のケーブルを必要とせず、使用に際してケーブルが邪魔になったり、外観品質を損ねることがない。
【００１９】
また、請求項３に記載の骨伝導素子付き眼鏡フレームによれば、収納部はテンプル部に形成した凹部であるので、骨伝送素子を使用しないとき骨伝導素子はこの凹部に収納され外部から視認できない。このため、外観品質に優れる。
【００２０】
また、請求項４に記載の骨伝導素子付き眼鏡フレームによれば、収納部はテンプル部の下方に配置された遮蔽板部の内側に形成されているので、骨伝送素子を使用しないとき骨伝導素子は遮蔽板部の内側に配置され外部から視認できない。このため、外観品質に優れる。
【００２１】
更に、請求項５に記載の骨伝導素子付き眼鏡フレームによれば、音声取得装置を備えるので、携帯電話等の音声の受信の他音声の送信に使用することができる。
【００２２】
そして、請求項６に記載の骨伝導素子付き眼鏡によれば、レンズ配置部に視力矯正用レンズ又はサングラス用レンズを配置するので、視力矯正用の眼鏡や、光量調整、紫外線カット、偏光調整用のサングラスとして使用できる。
【図面の簡単な説明】
【００２３】
【図１】本考案の第１実施形態に係る骨伝導素子付き眼鏡であるサングラスを示す図であり、（ａ）は正面図、（ｂ）は右側面図、（ｃ）は（ａ）中のI−I線に沿うとする断面図である。
【図２】同サングラスの平面図である。
【図３】同サングラスの使用状態を示す側面図である。
【図４】本考案の第２実施形態に係る骨伝導素子付き眼鏡である眼鏡を示す図であり、（ａ）は正面図、（ｂ）は右側面図、（ｃ）は（ａ）中のII−II線に沿うとする断面図である。
【図５】同眼鏡の平面図である。
【図６】同眼鏡の使用状態を示す側面図である。
【考案を実施するための形態】
【００２４】
本考案を実施するための形態に係る骨伝導素子付き眼鏡フレーム及び骨伝導素子付き眼鏡について説明する。
【００２５】
＜第１実施形態＞
以下本発明の第１実施形態に係る骨伝導素子付き眼鏡であるサングラスについて説明する。図１は本考案の第１実施形態に係る骨伝導素子付き眼鏡であるサングラスを示す図であり、（ａ）は正面図、（ｂ）は右側面図、（ｃ）は（ａ）中のI−I線に沿うとする断面図、図２は同サングラスの平面図、図３は同サングラスの使用状態を示す側面図である。
【００２６】
実施形態に係るサングラス１０は、本考案の実施形態に係る骨伝導素子付き眼鏡フレーム１６（以下、単に眼鏡フレーム１６という）にサングラス用のレンズ１３、１３を配置したものである。レンズ１３としては、光量調整、紫外線カット、偏光調整用のレンズが使用できる。また、レンズ１３が視度調整用の機能を有することができる。
【００２７】
このサングラス１０の眼鏡フレーム１６は、レンズ保持部１１と、このレンズ保持部１１に蝶番（図示していない）を介して折り畳み可能に配置された左右のテンプル部１２、１２を備える。
【００２８】
レンズ保持部１１には、装着時において鼻に接触するノーズパッド１４が配置されている他、上述したレンズ１３が配置されている。
【００２９】
本実施形態に係るサングラス１０では、左右のテンプル部１２、１２には、それぞれ左側及び右側の音声を出力する骨伝導素子２０、２０が配置されている。左右の骨伝導素子２０、２０は、それぞれ左右のテンプル部１２、１２に配置された軸２１、２１で回動可能に配置されたアーム部材２２、２２の先端に配置されている。骨伝導素子２０としては圧電セラミックス等の振動子を使用することができる。
【００３０】
また、左右のテンプル部１２、１２には、下方に向けて板状の部材である遮蔽板部１５、１５が形成されており、この遮蔽板部１５、１５の内側が骨伝導素子２０、２０及びアーム部材２２、２２の収納部となる。遮蔽板部１５、１５はアーム部材２２、２２が軸２１、２１を中心に後側に回動してテンプル部１２、１２に沿って接触した状態で、外部から骨伝導素子２０、２０及びアーム部材２２、２２が外部から見えない状態とする。
【００３１】
また本実施形態に係るサングラス１０において、左側のテンプル部１２、１２には、音楽プレーヤーやスマートフォン等、外部の音声出力装置からの出力を無線、例えば「Bluetooth（登録商標）」により受信する無線送受信装置、左右の骨伝導素子２０、２０をそれぞれ駆動する増幅器等のドライバを配置した骨伝導素子駆動装置である電子基板２３が配置されている。無線としては「Bluetooth（登録商標）」の他、適宜近接通信技術を使用することができる。
【００３２】
また、サングラス１０において、右側のテンプル部１２の後端部には、電子基板２３を駆動する電源２４として電池、例えば充電池や小型乾電池を備える。電源２４を充電池とするときには、眼鏡フレーム１６の適所に充電用の端子を配置する。また、電源２４を乾電池とする場合には、テンプル部１２に蓋部を設け乾電池を交換可能とする。
【００３３】
なお、眼鏡フレーム１６のレンズ保持部１１又はテンプル部１２に音声取得装置としてマイクロフォンを配置することができる。マイクロフォンとしては、空気振動を検知するタイプの他、骨伝導により振動を検知するタイプを使用することができる。この場合には、無線送受信装置から音声信号を送出する。これにより、携帯電話、トランシーバー等で会話を行うことができる。
【００３４】
次にサングラス１０の使用状態について説明する。図３は同サングラスの使用状態を示す側面図である。
【００３５】
骨伝導素子２０、２０を使用しない場合、骨伝導素子２０、２０が遮蔽板部１５の内側の収納部に格納されている状態のサングラス１０を顔面５０に装着する。この状態では骨伝導素子２０、２０及びアーム部材２２、２２は遮蔽板部１５、１５の内側の収納部に配置され外部から視認できない。このため、サングラス１０を外観品質に優れたものとできる。
【００３６】
一方、骨伝導素子２０、２０を使用する場合、図３に示すように、軸２１、２１を中心にアーム部材２２、２２を下方に回動させ骨伝導素子２０、２０を左右の耳５１、５１の前側に配置する。骨伝導素子２０、２０の例えば乳様突起の位置に配置することが望ましい。このため、アーム部材２２、２２の寸法及び軸２１、２１のテンプル部１２、１２における配置位置を適宜選択する。
【００３７】
このようにして、骨伝導素子２０で音声を再生すると、外部の騒音に妨害されずに音を聞き取ることができる他、骨伝導で音を聞きながら耳から入ってくる音も聞くことができ、耳を開放しておくことができる。このため、音楽や音声を聴きながら環境音を確認できる。
【００３８】
＜第２実施形態＞
以下本発明の第２実施形態に係る骨伝導素子付き眼鏡について説明する。本実施形態は視度調整用の眼鏡に適用した例である。図４は本考案の第２実施形態に係る骨伝導素子付き眼鏡である眼鏡を示す図であり、（ａ）は正面図、（ｂ）は右側面図、（ｃ）は（ａ）中のII−II線に沿うとする断面図、図５は同眼鏡の平面図である。
【００３９】
以下第２実施形態に係る眼鏡３０について説明する。眼鏡３０は、本考案の実施形態に係る骨伝導素子付き眼鏡フレーム３６（以下単に眼鏡フレーム３６という）に視度調整用のレンズ３３を配置したものである。レンズ３３としては、近視、遠視、乱視の矯正用レンズ、遠近矯正用のマルチフォーカスンズ、累進屈折力レンズ等が使用できる。また、レンズ３３に、光量調整、紫外線カット、偏光調整用の機能を有することができる。なお、レンズ保持部３１に素通しレンズを配置することやレンズを配置せずにいわゆるだて眼鏡として使用することができる。
【００４０】
眼鏡フレーム３６は、レンズ保持部３１と、このレンズ保持部３１に蝶番（図示していない）を介して折り畳み可能に配置された左右のテンプル部３２、３２を備える。
【００４１】
レンズ保持部３１には、装着時において鼻に接触するノーズパッド３４が配置されている他、上述したレンズ３３が配置されている。
【００４２】
本実施形態に係る眼鏡３０では、左右のテンプル部３２、３２には、それぞれ左側及び右側の音声を出力する骨伝導素子４０、４０が配置されている。左右の骨伝導素子４０、４０は、それぞれ左右のテンプル部３２、３２に配置された軸４１、４１で回動可能に配置されたアーム部材４２、４２の先端に配置されている。骨伝導素子４０としては圧電セラミックス等の振動子を使用することができる。
【００４３】
また、左右のテンプル部３２、３２には、下方に向けていた開口を備える凹部３５、３５が形成されており、この凹部３５、３５が骨伝導素子４０、４０及びアーム部材４２、４２の収納部となる凹部３５、３５はアーム部材４２、４２が軸４１、４１を中心に前方に回動させて骨伝導素子４０、４０及びアーム部材４２、４２を収納した状態で、外部から骨伝導素子４０、４０及びアーム部材４２、４２が外部から見えない状態とする。
【００４４】
従って、第二実施の形態に係る眼鏡３０と第一実施の形態に係る眼鏡１０の構成上の相違点は、第一実施の形態に係る眼鏡１０にあっては、アーム部材２２の軸２１がテンプル部１２の長さ方向中間部のやや基端部寄りに設けられ、軸２１を介してテンプル部１２の後端部方向に向かって回動するように構成されているのに対し、第二実施の形態に係る眼鏡３０にあっては、アーム部材４２の軸４１がテンプル部１２の長さ方向中間部のやや後端部寄りに設けられ、軸４１を介してテンプル部１２の基端部方向に向かって回動するように構成されている点にある。
【００４５】
また本実施形態に係る眼鏡３０において、左側のテンプル部３２、３２には、音楽プレーヤーやスマートフォン等、外部の音声出力装置からの出力を無線、例えば「Bluetooth（登録商標）」により受信する無線送受信装置、左右の骨伝導素子４０、４０をそれぞれ駆動する増幅器等のドライバを配置した骨伝導素子駆動装置である電子基板４３が配置されている。無線としては「Bluetooth（登録商標）」の他、適宜近接通信技術を使用することができる。
【００４６】
また、眼鏡３０において、右側のテンプル部３２の基端部には、電子基板４３を駆動する電源４４として電池、例えば充電池や小型乾電池を備える。電源４４を充電池とするときには、眼鏡フレーム３６の適所に充電用の端子を配置する。また、電源４４を乾電池とする場合には、テンプル部３２に蓋部を設け乾電池を交換可能とする。
【００４７】
なお、眼鏡フレーム３６のレンズ保持部３１又はテンプル部３２に音声取得装置としてマイクロフォンを配置することができる。マイクロフォンとしては、空気振動を検知するタイプの他、骨伝導により振動を検知するタイプを使用することができる。この場合には、無線送受信装置から音声信号を送出する。これにより、携帯電話、トランシーバー等で会話を行うことができる。
【００４８】
次に眼鏡３０の使用状態について説明する。図６は同眼鏡の使用状態を示す側面図である。
【００４９】
骨伝導素子４０、４０を使用しない場合、骨伝導素子４０、４０がテンプル部３２、３２の凹部３５、３５に格納されている状態の眼鏡３０を顔面５０に装着する。この状態では骨伝導素子４０、４０及びアーム部材４２、４２は凹部３５、３５に収納され外部から視認できない。このため、眼鏡３０を外観品質に優れたものとできる。
【００５０】
一方、骨伝導素子４０、４０を使用する場合、図６に示すように、軸４１、４１を中心にアーム部材４２、４２を下方に回動させ骨伝導素子４０、４０を耳５１、５１の前側に配置する。骨伝導素子４０、４０は例えば乳様突起の位置に配置することが望ましい。このため、アーム部材４２、４２の寸法及び軸４１、４１のテンプル部３２、３２における配置位置を適宜選択する。
【００５１】
このようにして、骨伝導素子４０、４０で音声を再生すると、外部の騒音に妨害されずに音を聞き取ることができる他、骨伝導で音を聞きながら耳から入ってくる音も聞くことができ、耳を開放しておくことができる。このため、音楽や音声を聴きながら環境音を確認できる。
【産業上の利用可能性】
【００５２】
本考案は、サングラスや眼鏡に適応でき、これらの外観品質を向上させることができるので産業上の利用可能性がある。
【符号の説明】
【００５３】
２：文献
１０：サングラス
１１：レンズ保持部
１２：テンプル部
１３：レンズ
１４：ノーズパッド
１５：遮蔽板部
１６：骨伝導素子付き眼鏡フレーム（眼鏡フレーム）
２０：骨伝導素子
２１：軸
２２：アーム部材
２３：電子基板
２４：電源
３０：眼鏡
３１：レンズ保持部
３２：テンプル部
３３：レンズ
３４：ノーズパッド
３５：凹部（収納部）
３６：骨伝導素子付き眼鏡フレーム（眼鏡フレーム）
４０：骨伝導素子
４１：軸
４２：アーム部材
４３：電子基板
４４：電源
５０：顔面
５１：耳
【図１】
0003221988.tif 000003
【図２】
0003221988.tif 000004
【図３】
0003221988.tif 000005
【図４】
0003221988.tif 000006
【図５】
0003221988.tif 000007
【図６】
0003221988.tif 000008